(57)【要約】送信電力制御装置の開ループ電力制御部は、個別制御チャネルＤＣＣＨと同期チャネルＳＣＨが重なるか調べ、重なる場合には、通常の開ループ電力制御処理を中止し、目標ＳＩＲを充分なレベルだけ増加して閉ループ電力制御部に指示する。閉ループ電力制御部は指示された目標ＳＩＲを維持し、該目標ＳＩＲに基づいて閉ループ送信電力制御処理を行う。開ループ電力制御部は、ＤＣＣＨ受信終了後、通常の開ループ電力制御処理を再開する。
2004002018.tif 000002
【特許請求の範囲】
【請求項１】
下り送信電力制御用のデータを生成するために必要な目標品質を、受信信号のエラーレートに基づいて制御する電力制御方法において、
下り個別制御チャネルのタイミングとセルサーチ用の下り同期チャネルのタイミングが重なるか監視し、
重なる場合には、前記目標品質を設定値まで増加し、あるいは、前記目標品質を設定量づつ増加し、
重ならない場合には、受信信号のエラーレートに基づいて目標品質を増減する、ことを特徴とする電力制御方法。
【請求項２】
受信信号の品質を測定し、該測定した受信品質と前記目標品質を比較し、その大小に基づいて下り送信電力制御用のデータを作成する、
ことを特徴とする請求項１記載の電力制御方法。
【請求項３】
前記品質は信号電力と干渉電力の比であるＳＩＲである、
ことを特徴とする請求項１記載の電力制御方法。
【請求項４】
個別物理チャネルＤＰＣＨオープン時に上位より通知される情報を用いて、個別制御チャネルＤＣＣＨのタイミングと同期チャネルＳＣＨのタイミングが重なる場合のＴＦＣＩを求めて保存し、
通信時に受信したＴＦＣＩが前記保存してあるＴＦＣＩと一致するかにより、個別制御チャネルのタイミングと同期チャネルのタイミングが重なるかを判定する、
ことを特徴とする請求項１記載の電力制御方法。
【請求項５】
前記上位より通知される情報は、▲１▼個別物理チャネルＤＰＣＨのスロットフォーマット、▲２▼同期チャネルに対する個別物理チャネルＤＰＣＨのオフセット量、▲３▼個別トラフィックチャネルＤＴＣＨ、個別制御チャネルＤＣＣＨそれぞれの送信時間間隔ＴＴＩ、▲４▼個別トラフィックチャネルＤＴＣＨ、個別制御チャネルＤＣＣＨそれぞれの送信フォーマットＴＦ、である、
ことを特徴とする請求項４記載の電力制御方法。
【請求項６】
下り送信電力制御用のデータを生成するために必要な目標品質を、受信信号のエラーレートに基づいて制御する電力制御装置において、
受信信号のエラーレートを測定するエラーレート測定部、
下り個別制御チャネルのタイミングとセルサーチ用の下り同期チャネルのタイミングが重なるか監視する重なり監視部、
前記２つのタイミングが重ならない場合には、受信信号のエラーレートに基づいて目標品質を増減し、前記２つのタイミングが重なる場合には、前記目標品質を設定値まで増加し、あるいは、前記目標品質を設定量づつ増加する目標品質制御部、
を備えたことを特徴とする電力制御装置。
【請求項７】
受信信号の品質を測定する品質測定部、
該測定した受信品質と前記目標品質との大小を比較する比較部、
大小比較結果に基づいて下り送信電力制御用のデータを作成する下り送信電力制御用データ作成部、
を備えたことを特徴とする請求項６記載の電力制御装置。
【請求項８】
受信信号に含まれるＴＦＣＩを検出するＴＦＣＩ検出部を備え、
前記重なり監視部は、個別物理チャネルＤＰＣＨオープン時に上位より通知される情報を用いて、個別制御チャネルＤＣＣＨのタイミングと同期チャネルＳＣＨのタイミングが重なる場合のＴＦＣＩを求めて保存し、通信時に受信したＴＦＣＩが前記保存してあるＴＦＣＩと一致するかにより、個別制御チャネルのタイミングと同期チャネルのタイミングが重なるかを判定する、
ことを特徴とする請求項６記載の電力制御装置。
【請求項９】
前記上位より通知される情報は、▲１▼個別物理チャネルＤＰＣＨのスロットフォーマット、▲２▼同期チャネルに対する個別物理チャネルＤＰＣＨのオフセット量、▲３▼個別トラフィックチャネルＤＴＣＨ、個別制御チャネルＤＣＣＨそれぞれの送信時間間隔ＴＴＩ、▲４▼個別トラフィックチャネルＤＴＣＨ、個別制御チャネルＤＣＣＨそれぞれの送信フォーマットＴＦであり、前記重なり監視部は、これらの情報を用いて個別制御チャネルＤＣＣＨのタイミングと同期チャネルＳＣＨのタイミングが重なる場合のＴＦＣＩを求める、
ことを特徴とする請求項８記載の電力制御装置。
【請求項１０】
目標ＳＩＲを制御する開ループ電力制御部と、受信信号のＳＩＲと前記目標ＳＩＲに基づいて下り送信電力制御用のデータを作成する閉ループ電力制御部を備えた電力制御装置において、
開ループ制御部は、個別制御チャネルＤＣＣＨと同期チャネルＳＣＨが重なるか調べ、重なる場合には、通常の開ループ電力制御処理を中止し、目標ＳＩＲを充分なレベルだけ増加して閉ループ制御部に指示し、
閉ループ制御部は、指示された目標ＳＩＲを維持し、該目標ＳＩＲと受信ＳＩＲとに基づいて閉ループ送信電力制御処理を行い、
開ループ制御部は、ＤＣＣＨ受信終了後に通常の開ループ電力制御処理を再開する、
ことを特徴とする電力制御装置。
【請求項１１】
特定の端末宛てに基地局から送信された信号についての該端末における受信品質が目標品質を下回る場合に、該端末から該基地局に対して該端末宛ての信号の送信電力を増加させる方向の制御を行うように信号を送信し、該受信品質が目標品質を上回る場合に、該端末から該基地局に対して、該送信電力を減少させる方向の制御を行うように信号を送信するとともに、該端末において前記受信信号のエラーが多い場合に少ない場合より前記目標品質を増加する制御を行う電力制御方法において、
前記目標品質を増加する制御の他の要因として、前記特定の端末宛に基地局から送信される信号のうち特定の信号の送信タイミングが、該基地局からの複数の端末に共通して送信される信号のうち、該特定の信号への干渉が他の部分より大きい部分の信号の送信タイミングが重なることを該端末が受信信号から検出したことを含む、
ことを特徴とする電力制御方法。
【請求項１２】
自端末宛てに基地局から送信された信号についての自端末における受信品質が目標品質を下回る場合に、該基地局に対して該端末宛ての信号の送信電力を増加させる方向の制御を行うように信号を送信し、該受信品質が目標品質を上回る場合に、該基地局に対して、該送信電力を減少させる方向の制御を行うように信号を送信するとともに、前記受信信号のエラーが多い場合に少ない場合より前記目標品質を増加する制御を行う端末において、
前記特定の端末宛に基地局から送信される信号のうち特定の信号の送信タイミングが、該基地局からの複数の端末に共通して送信される信号のうち、該特定の信号への干渉が他の部分より大きい部分の信号の送信タイミングが重なることを該端末が受信信号から検出する手段を備え、
前記目標品質を増加する制御を行う制御部は、該目標品質を増加する制御の要因として、該検出を行ったことを含む、
ことを特徴とする電力制御方法。
【発明の詳細な説明】
【技術分野】  本発明はＷ−ＣＤＭＡ方式における電力制御方法及び装置に係わり、特に、下り個別制御チャネルと同期チャネルの位置関係を考慮して、下り送信電力制御ビット（ＴＰＣ）生成用の目標品質を変更する電力制御方法及び装置に関する。
【背景技術】  ＣＤＭＡ移動通信では、各チャネルに割り当てる拡散コードによってチャネルを区別することにより、複数のチャネルが一つの周波数帯域を共有して通信を行う。しかし、実際の移動通信環境においては、マルチパスフェージングによる遅延波や他セルからの電波により、受信信号は自チャネル及び他チャネルから干渉を受け、該干渉がチャネル分離に悪影響を与える。また、マルチパスフェージングによる受信電力の瞬時変動や、同時に通話しているユーザ数の変化によって、受信信号が受ける干渉量は時間的に変化する。このように、時間的に変動する干渉を受けるような環境下では、基地局に接続した移動局における受信信号の品質を、所望の品質値に安定して保つことは困難である。
このような干渉ユーザ数の変化やマルチパスフェージングによる瞬時値変動に追従するために、受信側で信号対干渉電力比（ＳＩＲ）を測定し、その測定値と目標ＳＩＲ（ｔａｒｇｅｔ  ＳＩＲ）を比較することにより、受信側のＳＩＲが目標ＳＩＲに近づくように送信電力を高速に制御する閉ループ送信電力制御が行われる。
図２０は閉ループ送信電力制御の説明図で、図２１は閉ループ送信電力制御フローである。
移動局ＭＳは、▲１▼基地局ＢＴＳからの下り信号を受信し、▲２▼該受信中の個別物理チャネル（ＤＰＣＨ；Ｄｅｄｉｃａｔｅｄ  Ｐｈｙｓｉｃａｌ  Ｃｈａｎｎｅｌ）のＳＩＲ（受信ＳＩＲ）を測定し、▲３▼該受信ＳＩＲと上位より設定された目標ＳＩＲ（Ｔａｒｇｅｔ  ＳＩＲ）を比較する。移動局ＭＳは、▲４▼受信ＳＩＲが目標ＳＩＲより良い場合は、ＴＰＣ（Ｔｒａｎｓｍｉｓｓｉｏｎ  Ｐｏｗｅｒ  Ｃｏｎｔｒｏｌ）ビット＝０にして基地局ＢＴＳに“送信電力を下げろ”を通知し、受信ＳＩＲが目標ＳＩＲより悪い場合は、ＴＰＣビット＝１にして基地局ＢＴＳに対し“送信電力を上げろ”を通知する。▲５▼基地局ＢＴＳは、受信したＴＰＣビットの”０”、”１”に基づいて下り送信電力を制御する。移動局ＭＳは上記電力制御をスロット毎に行うため、下り送信電力を高速に制御することが出来る。
図２２は３ｒｄ  Ｇｅｎｅｒａｔｉｏｎ  Ｐａｒｔｎｅｒｓｈｉｐ  Ｐｒｏｊｅｃｔ（以下３ＧＰＰと称す）で標準化されている下りリンクにおける個別物理チャネルＤＰＣＨのフレーム構成図、図２３は上りリンクにおける個別物理チャネルＤＰＣＨのフルーム構成図である。
下りリンクのＤＰＣＨフレームは、図２２（ａ）に示すように、１フレーム＝１０ｍｓｅｃ、１５スロットＳ０〜Ｓ１４で構成され、スロット毎に、第１データ部Ｄａｔａ１、第２データ部Ｄａｔａ２を送信する個別物理データチャネルＤＰＤＣＨ（Ｄｅｄｉｃａｔｅｄ  Ｐｈｙｓｉｃａｌ  Ｄａｔａ  Ｃｈａｎｎｅｌ）と、ＰＩＬＯＴ、ＴＰＣ、ＴＦＣＩを送信する個別物理制御チャネルＤＰＣＣＨ（Ｄｅｄｉｃａｔｅｄ  Ｐｈｙｓｉｃａｌ  Ｃｏｎｔｒｏｌ  Ｃｈａｎｎｅｌ）とを時分割多重する構成を有している。
ＰＩＬＯＴ、ＴＰＣ、ＴＦＣＩのビット数及びＤａｔａ１，Ｄａｔａ２のビット数は図２２（ｂ）に示すようにシンボル速度に応じて変化し、又、同一シンボル速度であっても必要に応じて変化する。いずれのスロットフォーマットで送信するかは予め通信に先立って上位より指定される。
個別物理データチャネルＤＰＤＣＨは、▲１▼個別トラフィックチャネルＤＴＣＨと、▲２▼個別制御チャネルＤＣＣＨを有している。個別トラフィックチャネルＤＴＣＨは移動局と網間の個別トラフィック情報を送信するチャネルであり、個別制御チャネルＤＣＣＨは、移動局と網間の個別制御情報の伝送に用いるチャネルである。個別制御情報としては、
▲１▼移動局と基地局間の信号リンクと全ての無線ベアラを確立／解放するための手順を示すメッセージ、
▲２▼下り、上り方向の上位レイヤメッセージ
▲３▼新たな無線ベアラの確立／解放やトランスポートチャネルの確立に使用するメッセージ、
▲４▼トランスポートのパラメータを変更する際に使用するメッセージ、
▲５▼物理チャネルの確立／解放に使用するメッセージ、
など多数のメッセージがある。
上りリンクのＤＰＣＨフレームは、図２３に示すように送信データのみを送信する個別物理データチャネルＤＰＤＣＨと、Ｐｉｌｏｔ、ＴＰＣ、ＴＦＣＩ、ＦＢＩ（Ｆｅｅｄｂａｃｋ  Ｉｎｄｉｃａｔｏｒ）等の制御データを送信する個別物理制御チャネルＤＰＣＣＨで構成されている。各チャネルＤＰＤＣＨ、ＤＰＣＣＨのデータは、直交符号によりそれぞれ拡散されたあと、実数軸（Ｉ軸）および虚数軸（Ｑ軸）にマッピングされて多重される。上りリンクの１フレームは１０ｍｓｅｃであり、１５スロット（ｓｌｏｔ＃０〜ｓｌｏｔ＃１４）で構成されている。個別物理データチャネルＤＰＤＣＨの１スロット当たりのビット数はシンボル速度に応じて変化するが、個別物理制御チャネルＤＰＣＣＨの各スロットは１０ビット一定で、シンボル速度は１５ｋｓｐｓ一定である。
前述の閉ループ送信電力制御は移動局ＭＳのモデム部ＭＯＤにおいて行われる。図２４は移動局ＭＳの要部ブロック図である。モデム部ＭＯＤの復調処理部１ａは無線部ＲＦから入力する受信信号に直交検波、逆拡散処理を施して受信信号を復調する。受信ＳＩＲ測定部１ｂは信号対干渉電力比ＳＩＲを測定し、比較部１ｃは目標ＳＩＲと受信ＳＩＲを比較し、比較結果をＴＰＣビット生成部１ｄに入力する。ＴＰＣビット生成部１ｄは受信ＳＩＲが目標ＳＩＲより大きければＴＰＣビット＝０にし、受信ＳＩＲが目標ＳＩＲより小さければＴＰＣビット＝１にする。目標ＳＩＲは例えば、エラーレート１０−３（１０００回に１回の割合でエラー発生）を得るために必要なＳＩＲ値であり、チャネルコーデック部ＣＣＤより比較部１ｃに設定される。変調処理部１ｅは、個別物理データＤＰＤＣＨ（ＤＴＣＨ，ＤＣＣＨ）及び個別物理制御データＤＰＣＣＨ（ＴＦＣＩ，ＴＰＣ，Ｐｉｌｏｔ，ＦＢＩ）を拡散変調し、拡散変調後、ＤＡ変換、直交変調し、無線部ＲＦは周波数変換、電力増幅などの処理を施してアンテナより基地局に向けて送信する。基地局ＢＴＳはＴＰＣビットを復調し、該ＴＰＣビットの”０”，”１”に従って下り送信電力を制御する。
ところで、通信中の移動速度の変化や移動による伝搬環境の変化により、所望の品質（ブロックエラーレート＝ＢＬＥＲ：Ｂｌｏｃｋ  Ｅｒｒｏｒ  Ｒａｔｅ）を得るために必要なＳＩＲは一定ではない。これらの変化に対応するために、ブロック誤りを観測し、観測値が目標ＢＬＥＲよりも悪ければ目標ＳＩＲを増加させ、良ければ目標ＳＩＲを減少させる制御が行われる。このように所望品質を実現するために目標ＳＩＲを適応的に変更する制御は、開ループ送信電力制御と呼ばれている。
図２５は開ループ送信電力制御の説明図で、図２６は開ループ送信電力制御フローである。移動局ＭＳは、▲１▼基地局ＢＴＳからの下り信号を受信し、▲２▼受信中の個別物理チャネルＤＰＣＨのブロックエラーレートＢＬＥＲ（受信ＢＬＥＲ）を測定し、▲３▼受信ＢＬＥＲと上位より通知された通信中サービスに対応する目標ＢＬＥＲとを比較する。▲４▼受信ＢＬＥＲが目標ＢＬＥＲより良い場合は、モデム部ＭＯＤに対し目標ＳＩＲを下げるように指示する。また、受信ＢＬＥＲが目標ＢＬＥＲより悪い場合は、モデム部ＭＯＤに対し目標ＳＩＲを上げるように指示する。移動局ＭＳは上記開ループ制御をフレーム毎に行う。
開ループ電力制御処理はチャネルコーデック部ＣＣＤ（図２４）にて処理される。すなわち、基地局ＢＴＳから送信された信号はモデム部ＭＯＤの復調処理部１ａで復調されたあと、デコード処理部２ａで誤り訂正復号され、しかる後、トランスポートブロックＴｒＢｋに分割された後、各ＴｒＢｋ毎にＣＲＣ誤り検出が行われる。受信ＢＬＥＲ測定部２ｂは各トランスポートブロックＴｒＢｋの誤り検出結果に基づいて受信ＢＬＥＲを測定し、比較部２ｃに入力する。比較部２ｃは、受信ＢＬＥＲと目標ＢＬＥＲの大小を比較し、受信ＢＬＥＲが目標ＢＬＥＲより大きければモデム部ＭＯＤに対し目標ＳＩＲを上げるように指示し、受信ＢＬＥＲが目標ＢＬＥＲより小さければ、モデム部ＭＯＤに対し目標ＳＩＲを下げるように指示する。
現在標準化が行われているＷ−ＣＤＭＡでは送信側において図２７に示すように符号化を行っている。すなわち、送信時間間隔（Ｔｒａｎｓｍｉｓｓｉｏｎ  Ｔｉｍｅ  Ｉｎｔｅｒｖａｌ：ＴＴＩ）内にトランスポートブロックＴｒＢｋが複数個（Ｎ個）存在すれば、ＣＲＣ付加回路はトランスポートブロックＴｒＢｋ毎にＣＲＣ（Ｃｙｃｌｉｃ  Ｒｅｄｕｎｄａｎｃｙ  Ｃｏｄｅ）誤り検出符号を生成して送信データに付加し、符号器はＮ個のＣＲＣ付きのトランスポートブロックＴｒＢｋを結合して畳み込み符号やターボ符号などの誤り訂正符号により符号化する。受信側では、デコード処理部２ａが受信データに誤り訂正復号化処理を施し、ついで、復号結果を構成するＮ個のトランスポートブロックＴｒＢｋ毎にＣＲＣ誤り検出を行って誤り検出結果を受信ＢＬＥＲ測定部２ｂに入力する。
開ループ電力制御処理において、移動局ＭＳは、主に個別トラフィックチャネルＤＴＣＨのブロックエラーレートＢＬＥＲによって目標ＳＩＲを決定する。このため、音声通話で無音が続いた場合等において、個別トラフィックチャネルＤＴＣＨのブロックエラーレートＢＬＥＲが良く見える、目標ＳＩＲを下げ続けることがある。その様な状態で個別物理チャネルＤＰＣＨ内に個別制御チャネルＤＣＣＨが追加されると、送信電力が低すぎて該個別制御チャネルＤＣＣＨを受信するのに充分な品質を得ることができず、通信が切断することがある。特に、干渉波が存在するとこの傾向が強い。そのため、個別制御チャネルＤＣＣＨを受信するのに充分な品質が保てるように、目標ＳＩＲを制御する必要がある。
また、Ｗ−ＣＤＭＡ方式では通常、お互い直交関係にあるチャネライゼーションコードを使用して拡散するため異なるチャネル間の干渉はないが、同期チャネルＳＣＨについてはチャネライゼーションコードを使用しない。このため、他のチャネルから見ると同期チャネルＳＣＨが重なる部分では、該同期チャネルＳＣＨが干渉波に見える。特に、個別物理チャネルＤＰＣＨにおける個別制御チャネルＤＣＣＨと同期チャネルＳＣＨのタイミングが重なる部分では、同期チャネルＳＣＨの干渉により個別制御チャネルＤＣＣＨの受信品質が悪化し、正しく個別制御データを復号することができず通信が切断する問題がある。
図２８（Ａ）は同期チャネルＳＣＨと個別物理チャネルＤＰＣＨの位置関係説明図である。図において、ＳＣＨはセルサーチ用の同期チャネル（Ｓｙｎｃｈｒｏｎｉｚａｔｉｏｎ  Ｃｈａｎｎｅｌ）、ＰＣＣＰＣＨは第１共通制御物理チャネル（Ｐｒｉｍａｒｙ−Ｃｏｍｍｏｎ  Ｃｏｎｔｒｏｌ  Ｐｈｙｓｉｃａｌ  Ｃｈａｎｎｅｌ）である。Ｗ−ＣＤＭＡ方式において、基地局ＢＴＳと移動局ＭＳ間で無線リンクを接続する際、移動局ＭＳは基地局ＢＴＳが送信する同期チャネルＳＣＨを用いてセルサーチする。すなわち、移動局ＭＳは同期チャネルＳＣＨを用いて下りリンクの拡散符号同期を確立し、ついで、下りリンクの第１共通制御物理チャネルＰＣＣＰＣＨの報知チャネル情報を復号し，上りリンクでランダムアクセスチャネルＲＡＣＨを予め規定された送信タイミングで送信する。基地局ＢＴＳは上りリンクの拡散符号同期を確立してＲＡＣＨ情報の復号を行う。以上により、上りおよび下りの無線リンクが確立する。
ＳＣＨ＋ＰＣＣＰＣＨの周期は１スロット間隔（＝６６６．７μｓ）であり、個別物理チャネルＤＰＣＨと同じであり、ＳＣＨ＋ＰＣＣＰＣＨ、ＤＰＣＨはそれぞれ基地局ＢＴＳより送信される。図２８（Ａ）には、シンボルオフセット＝０、シンボルオフセット＝τＤＰＣＨ，ｎの場合における、ＳＣＨ＋ＰＣＣＰＣＨと個別物理チャネルＤＰＣＨの関係が示されている。
個別物理チャネルＤＰＣＨの個別物理データチャネルＤＰＤＣＨ（Ｄａｔａ１，Ｄａｔａ２部分）は、図２８（Ｂ）に示すように、音声などの個別トラフィック情報を送信する個別トラフィックチャネルＤＴＣＨと、移動局と網間の個別制御情報の伝送に用いる個別制御チャネルＤＣＣＨを備えている。同期チャネルＳＣＨが個別トラフィックチャネルＤＴＣＨと重なる場合は音声品質が劣化するだけで、致命傷にならない。しかし、同期チャネルＳＣＨが個別制御チャネルＤＣＣＨと重なる場合は、個別制御情報の受信品質が劣化して該個別制御情報を正しく復号できなくなる場合があり、通信が切断するという致命的な事態が発生する。
以上より、本発明の目的は、個別制御チャネルＤＣＣＨと同期チャネルＳＣＨの位置が重なった場合でも、通信が切断されないようにすることである。
本発明の別の目的は、必要以上に受信品質が良くなることを抑えながら同期チャネルＳＣＨの干渉による個別制御チャネルＤＣＣＨの受信品質の劣化を抑えることである。
【発明の開示】
本発明の送信電力制御装置において、開ループ電力制御部は、個別チャネルＤＰＣＨオープン時に上位レイヤより通知される情報と受信ＴＦＣＩとから、個別制御チャネルＤＣＣＨと同期チャネルＳＣＨが重なるか調べ、重なる場合には、通常の開ループ電力制御処理を中止し、目標ＳＩＲ（ｔａｒｇｅｔ  ＳＩＲ）を充分なレベルだけ増大して閉ループ電力制御部に指示する。閉ループ電力制御部はＤＣＣＨ受信終了まで指示された目標ＳＩＲを維持し、該目標ＳＩＲに基づいて閉ループ送信電力制御処理を行う。開ループ電力制御部は、ＤＣＣＨ受信終了後、通常の開ループ電力制御処理を再開する。
また、開ループ電力制御部は、個別制御チャネルＤＣＣＨと同期チャネルＳＣＨが重なることが判明した場合、以下のように制御することもできる。すなわち、開ループ電力制御部は、個別制御チャネルＤＣＣＨと同期チャネルＳＣＨが重なる場合には、通常の開ループ電力制御処理を中止し、ＤＣＣＨ受信の間、フレーム毎に一定レベルずつ目標ＳＩＲを増加して閉ループ電力制御部に指示する。そして、開ループ電力制御部は、ＤＣＣＨ受信終了後、通常の開ループ電力制御処理を再開する。
以上のように、個別制御チャネルＤＣＣＨと同期チャネルＳＣＨが重なる場合、通常より目標ＳＩＲを高めに設定することができ、これにより、閉ループ電力制御処理では受信ＳＩＲが目標ＳＩＲより悪くなる。このため、基地局に対し送信電力を上げるよう通知することになり、基地局が下り送信電力を上げるとＤＣＣＨの受信品質が向上し、通信が切断されることがなくなる。また、個別制御チャネルＤＣＣＨと同期チャネルＳＣＨが重なる場合のみ目標ＳＩＲを上げるため、必要以上に受信品質が良くなることを抑えながら同期チャネルＳＣＨの干渉による個別制御チャネルＤＣＣＨの受信品質の劣化を抑えることができる。
【図面の簡単な説明】  図１はＷ−ＣＤＭＡシステムにおける無線インターフェースのプロトコルアーキテクチャの説明図である。
図２は移動局の概略構成図である。
図３は送信フォーマットＴＦ、ＴＦＣＩテーブル、ＴＦＣＩ説明図である。
図４はＴｒＣＨ多重処理例である。
図５は基地局の下り個別チャネル（ＤＣＨ）のチャネルコーディング及び多重化処理の流れ図である。
図６はＤＴＣＨ／ＤＣＣＨの無線フレーム分割の例である。
図７はＤＴＣＨ／ＤＣＣＨのＴｒＣＨ多重の例である。
図８はＤＴＣＨ／ＤＣＣＨの２ｎｄインターリーブ及び物理チャネルマッピングの説明図である。
図９は個別物理チャネルＤＰＣＨと同期チャネルＳＣＨとの位置関係図である。
図１０は個別トラフィックチャネルＤＴＣＨのＴｒＢＬＫ数に応じたＤＴＣＨ／ＤＣＣＨの位置関係説明図である。
図１１はＴＦＣＩとＤＴＣＨ／ＤＣＣＨのＴｒＢＬＫ数の関係を示すテーブル（ＴＦＣＩテーブル）である。
図１２はＴＦＣＩの変化例を示す説明図である。
図１３はＴｒＣＨ多重の説明図である。
図１４は本発明の閉ループ電力制御部及び開ループ電力制御部を備えた移動局ＭＳの構成図である。
図１５は本発明の第１の開ループ制御処理フローである。
図１６は本発明の第２の開ループ制御処理フローである。
図１７は第２の開ループ制御処理説明図である。
図１８は本発明の第３の開ループ制御処理フローである。
図１９は第３の開ループ制御処理説明図である。
図２０は閉ループ送信電力制御の説明図である。
図２１は閉ループ送信電力制御フローである。
図２２は下りＤＰＣＨのスロットフォーマットである。
図２３は上りＤＰＣＨのフレーム構成図である。
図２４は移動局ＭＳの要部ブロック図である。
図２５は開ループ送信電力制御の説明図である。
図２６は開ループ送信電力制御フローである。
図２７は、誤り検出符号化処理及び誤り訂正符号化処理の説明図である。
図２８は同期チャネルＳＣＨと個別物理チャネルＤＰＣＨの位置関係説明図である。
【発明を実施するための最良の形態】  （Ａ）Ｗ−ＣＤＭＡシステムにおける無線インターフェース
図１はＷ−ＣＤＭＡシステムにおける無線インターフェースのプロトコルアーキテクチャの説明図であり、物理レイヤ（レイヤ１）、データリンクレイヤ（レイヤ２）、ネットワークレイヤ（レイヤ３）の３つのプロトコルレイヤで構成され、レイヤ２は更に、ＭＡＣ（Ｍｅｄｉｕｍ  Ａｃｃｅｓｓ  Ｃｏｎｔｒｏｌ）サブレイヤとＲＬＣ（Ｒａｄｉｏ  Ｌｉｎｋ  Ｃｏｎｔｒｏｌ）サブレイヤに分けられている。
この無線インターフェースのチャネルは、物理チャネル、トランスポートチャネル、論理チャネルの３階層で構成されている。論理チャネルはＭＡＣサブレイヤからＲＬＣサブレイヤに提供されるチャネルであり、伝送信号の機能や論理的特性によって分類され、転送される情報内容によって特徴づけられる。本発明と関係する論理チャネルは、個別制御チャネルＤＣＣＨと個別トラフィックチャネルＤＴＣＨである。トランスポートチャネルは、物理レイヤよりＭＡＣサブレイヤに提供されるチャネルであり、特性や伝送形態の異なるデータを物理レイヤ上で送信するために複数の種類のトランスポートチャネルがある。本発明と関係するトランスポートチャネルは個別チャネルＤＣＨである。個別チャネルＤＣＨは、ユーザデータの送信に使用する双方向チャネルであり、各移動局に個別に割り当てられる。物理チャネルは物理レイヤ機能を考慮して分類されており、拡散コードと周波数キャリアなどにより特定される。本発明に関係する物理チャネルは、個別物理チャネルＤＰＣＨ（ＤＰＤＣＨ，ＤＰＣＣＨ）、セルサーチ用の同期チャネルＳＣＨである。
論理チャネル（ＤＴＣＨ，ＤＣＣＨ）のトランスポートチャネルへのマッピングはＭＡＣサブレイヤにおいて行われ、トランスポートチャネルの物理チャネルへのマッピングは物理レイヤで行われる。
（Ｂ）移動局の概略動作
図２は移動局の概略構成図である。複数のターミナルアクセスファンクション部（以後ＴＡＦ部と略称）１ａ〜１ｎや上位アプリケーション２から所定の論理チャネルにマッピングされて送出された個別トラフィック情報（ＤＴＣＨ情報）や個別制御情報（ＤＣＣＨ情報）は、データ分離・合成を行うターミナルアクセスファンクションインターフェース部（ＴＡＦ  ＩＦ部）３に集約される。このＴＡＦ  ＩＦ部３には、予め上位レイヤより、▲１▼論理チャネルとトランスポートチャネル（ＴｒＣＨ）との接続関係、▲２▼各トランスポートチャネルＴｒＣＨの符号化方式、▲３▼各ＴｒＣＨの送信時間間隔ＴＴＩ（Ｔｒａｎｓｍｉｓｓｉｏｎ  Ｔｉｍｅ  Ｉｎｔｅｒｖａｌ）、▲４▼各ＴｒＣＨの送信フォーマットＴＦ（Ｔｒａｎｓｐｏｒｔ  Ｆｏｒｍａｔ）など符号化処理や多重送信に必要な情報が指定されている。なお、送信時間間隔ＴＴＩはＷ−ＣＤＭＡでは１０ｍｓ，２０ｍｓ，４０ｍｓ，８０ｍｓに規定されている。
ＴＡＦ  ＩＦ部３のＴｒＣＨ分離部３ａは、▲１▼上位レイヤから指定された情報を参照して各論理チャネルが接続されるＴｒＣＨを確認し、▲２▼各論理チャネルの送信ビットレートと各ＴｒＣＨの送信フォーマットＴＦとに基いて、各ＴｒＣＨのＴＴＩ毎の送信データ長を決定し、▲３▼各ＴｒＣＨの送信データをＴＴＩ毎に分離してチャネルコーデック部４に入力する。
送信フォーマットＴＦは、各ＴｒＣＨのＴＴＩ当たりのビット長（＝トランスポートブロック数×ブロック長）候補を特定するものである。例えば、個別トラフィックデータ（ＤＴＣＨデータ）と個別制御情報（ＤＣＣＨデータ）をＴｒＣＨ＃１、ＴｒＣＨ＃２で多重して送信する場合における送信フォーマットＴＦの一例を図３（Ａ），（Ｂ）に示す。ＤＴＣＨ用ＴｒＣＨ＃１の送信フォーマットＴＦの候補は６種類（０〜５）あり、それぞれの送信時間間隔ＴＴＩ当たりのビット長は、０×３３６ビット、１×３３６ビット、２×３３６ビット、４×３３６ビット、８×３３６ビット、１２×３３６ビットであり、ＴＦＩ（Ｔｒａｎｓｐｏｒｔ  Ｆｏｒｍａｔ  Ｉｎｄｉｃａｔｏｒ）は０，１，２，３，４，５である。また、ＤＣＣＨ用ＴｒＣＨ＃２の送信フォーマットＴＦの候補は２種類（０〜１）あり、ＴＴＩ当たりのビット長は０×１４８ビット、１×１４８ビットであり、ＴＦＩはそれぞれ０，１である。ＴｒＣＨ＃１，ＴｒＣＨ＃２の送信フォーマットＴＦの組み合わせは図３（Ｃ）に示すように全部で１２個（＝６×２）あり、それぞれの組み合わせに対してＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）が付されている。ＴｒＣＨ＃１の送信時間間隔ＴＴＩを２０ｍｓ、ＴｒＣＨ＃２の送信時間間隔ＴＴＩを４０ｍｓとし、ＴｒＣＨ＃１から１ＴＴＩ（＝２０ｍｓ）当たりのビット数が２×３３６ｂｉｔのデータと１ＴＴＩ（＝２０ｍｓ）当たりのビット数が１×３３６ｂｉｔのデータを連続して送信し、ＴｒＣＨ＃２から１ＴＴＩ（＝４０ｍｓ）当たりのビット数が１×１４８ｂｉｔのデータを送信するものとすれば、１０ｍｓ毎の４フレーム分の多重データは、図３（Ｄ）に示すようなＴＦＩの組み合わせとなり、ＴＦＣＩは右欄に示すようになる。
ＴＡＦ  ＩＦ部３のＴｒＣＨ分離部３ａは、決定した各ＴｒＣＨのＴＦＩに基づいて、各論理チャネルのデータをＴＴＩ毎に分離してチャネルコーデック部４に入力する。また、ＴＡＦ  ＩＦ部３はＴＦＣＩもチャネルコーデック部に入力する。
チャネルコーデック部４は、各ＴｒＣＨ毎に、誤り検出符号化処理（ＣＲＣ付加）、誤り訂正符号化処理、レートマッチング、１次インタリーブ、無線フレーム分割（Ｒａｄｉｏ  ｆｒａｍｅ  ｓｅｇｍｅｎｔａｔｉｏｎ）処理等を施す。なお、無線フレーム分割処理は、各ＴｒＣＨの１ＴＴＩの送信データをフレーム毎に分割する処理である。図３（Ｄ）の例では、ＴｒＣＨ＃１の最初のＴＴＩ＝２０ｍｓにおける２×３３６ｂｉｔのデータは、（２×３３６）／２ビットづつ分割されて第１、第２フレームに振り分けられ、次のＴＴＩ＝２０ｍｓにおける１×３３６ｂｉｔのデータは（１×３３６）／２ビットづつ分割されて第３、第４フレームに振り分けられる。また、ＴｒＣＨ＃２のＴＴＩ＝４０ｍｓにおける１×１４８のデータは、（１×１４８）／４ビットづつ分割されて第１〜第４フレームに振り分けられる。
各ＴｒＣＨにおいて無線フレーム分割処理が終了すれば、チャネルコーデック部４の多重部は、各ＴｒＣＨの送信データをフレーム毎に多重し、第２インタリーブ処理などを施し、しかる後、多重データを物理チャネルＤＰＣＨの個別物理データチャネルＤＰＤＣＨにマッピングし、同相成分（Ｉｎ−ｐｈａｓｅ  ｃｏｍｐｏｎｅｎｔ）データとして所定シンボル速度で変調部（ＭＯＤ）５に入力する。図４にＴＴＩ２０ｍｓと４０ｍｓの２つのＴｒＣＨ＃１、ＴｒＣＨ＃２を多重して送信する例を示す。尚、図４において、１フレーム目と２フレーム目のＴｒＣＨ＃１−１，ＴｒＣＨ＃１−２はＴｒＣＨ＃１の最初の２０ｍｓデータであり、３フレーム目と４フレーム目のＴｒＣＨ＃１−３，ＴｒＣＨ＃１−４はＴｒＣＨ＃１の次の２０ｍｓデータである。
各トランスポートチャネルＴｒＣＨのデータを多重して物理チャネルにマッピングして送信する時、受信側で正しく分離できるように、チャネルコーデック部４は、どのように各トランスポートチャネルＴｒＣＨの符号化データを多重したかを示すパラメータＴＦＣＩを物理チャネルデータに添付して送信する。すなわち、チャネルコーデック部４は、ＰＩＬＯＴ、ＴＦＣＩ、ＦＢＩ等の制御データを個別物理制御チャネルＤＰＣＣＨにマッピングし、直交成分（Ｑｕａｄｒａｔｕｒｅ  ｃｏｍｐｏｎｅｎｔ）データとして一定シンボル速度で変調部（ＭＯＤ）５に入力する。なお、制御データのうちＴＰＣビットはＭＯＤ部５の閉ループ制御部において個別物理制御チャネルＤＰＣＣＨに挿入される。送信電力制御については後述する。
変調部（ＭＯＤ）５はＤＰＤＣＨの送信データ、ＤＰＣＣＨの制御データに所定の拡散コードを用いて拡散変調を施し、ＤＡ変換した後、ＱＰＳＫ直交変調を施し、無線送信部６は直交変調信号を高周波数に周波数変換すると共に、高周波増幅等を行ってアンテナＡＮＴＴより送信する。
受信に際して、無線受信部７はアンテナＡＴＮＲにより受信した高周波信号をベースバンド信号に周波数変換し、しかる後、復調部（ＤＥＭ）８はベースバンド信号を直交検波して同相成分（Ｉ成分）信号と直交成分（Ｑ成分）信号を発生し、各信号をＡＤ変換し、Ｉ成分データ、Ｑ成分データに拡散符号と同じ符号を用いて逆拡散処理を施し、制御データ（ＰＩＬＯＴ，ＴＦＣＩ，ＴＰＣ）、受信データを復調してチャネルコーデック部４に入力する。チャネルコーデック部４は、ＴＦＣＩに基づいて受信多重データをトランスポートチャネルＴｒＣＨ毎に分離し、しかる後、各ＴｒＣＨ毎にデインタリーブ、レートデマッチング、誤り訂正復号処理、ＣＲＣチェック処理等を施してＴＡＦ−ＩＦ部３に入力し、該ＴＡＦ−ＩＦ部を介して各ＴＡＦ部に入力する。
（Ｃ）基地局の動作
・チャネルコーディング及び多重化処理
図５は基地局の下り個別チャネル（ＤＣＨ）のチャネルコーディング及び多重化処理の流れ図であり、移動局のチャネルコーディング及び多重化処理と同様の処理が行われる。個別チャネルＤＣＨを構成する個別トラフィックチャネル（ＤＴＣＨ）、個別制御チャネル（ＤＣＣＨ）等の下り信号はそれぞれトランスポートチャネル（ＴｒＣＨ）毎に以下の処理が施される。すなわち、▲１▼トランスポートブロック（ＴｒＢＬＫ）毎のＣＲＣ付加→▲２▼ＣＲＣ付きトランスポートブロック（ＴｒＢＬＫ）の連結→▲３▼チャネルコーディング（誤り訂正符号化）→▲４▼テールビット付加→▲５▼レートマッチング→▲６▼１ｓｔインターリーブ→▲７▼無線フレーム分割の処理が施される。
しかる後、上記ＤＴＣＨ、ＤＣＣＨの下り信号は、▲１▼固定位置方式（ｆｉｘｅｄ  ｐｏｓｉｔｉｏｎ方式）あるいは可変位置方式（ｆｌｅｘｉｂｌｅ  ｐｏｓｉｔｉｏｎ方式）によるトランスポートチャネル多重→▲２▼ＤＴＸ（データが無い区間）のインジケータ挿入→▲３▼物理チャネル分割→▲４▼２ｎｄインタリーブ→▲５▼物理チャネルマッピングの順に処理を施されて送信される。
・無線フレーム分割処理
図６は、ＤＴＣＨ／ＤＣＣＨの無線フレーム分割の例を示す。個別トラフィックチャネルＤＴＣＨで送信されるデータは、一定区間（ＴＴＩ）毎にチャネルコーディング等の処理を施された後、１０ｍｓのフルームに分割される。図６（Ａ）の例では、個別トラフィックチャネルＤＴＣＨのＴＴＩは２０ｍｓなので、２フレームに分割する。また、個別トラフィックチャネルＤＴＣＨは、ＴＴＩ（＝２０ｍｓ）毎にその送信データ量に応じてＴｒＢＬＫ数が変化し、１ＴＴＩ内に送信することができるＴｒＢＬＫ数は上位より通知される。図６（Ａ）の例では、ＴＴＩ毎のＴｒＢＬＫ数は０，２，４のいずれかで送信される。
最大ＴｒＢＬＫ数（＝４）を送信する場合、ＴＴＩ（＝２０ｍｓ）内の２つのフレームにはそれぞれ２つのトランスポートブロックＴｒＢＬＫが割り当てられ、各フレームは全て送信データで埋まる。しかし、送信ＴｒＢＬＫ数が最大ＴｒＢＬＫ数（＝４）でない場合、その割合に応じてデータが無い区間（ＤＴＸ部）が発生する。図６（Ａ）の例では、ＴｒＢＬＫ数が２の時、各フレーム内の半分がＤＴＸとなり、ＴｒＢＬＫ数が０の時、各フレーム内のすべてがＤＴＸとなる。
個別制御チャネルＤＣＣＨも同様に、１０ｍｓのフレームに分割される。図６（Ｂ）の例では、個別制御チャネルＤＣＣＨのＴＴＩは４０ｍｓなので、４フレームに分割される。ＴｒＢＬＫ数が最大ＴｒＢＬＫ数（＝１）の時、各フレームで送信するＴｒＢＬＫ数は１／４となり、各フレームは全て送信データで埋まる。しかし、ＴｒＢＬＫ数が０の時、各フレーム内のすべてがＤＴＸとなる。
ＤＴＣＨ／ＤＣＣＨそれぞれのＴＴＩ長や、ＴＴＩ毎に取りうるＴｒＢＬＫ数（送信フォーマットＴＦ情報）等は、ＤＰＣＨオープン時に上位より通知される。
・ＤＴＣＨ／ＤＣＣＨのＴｒＣＨ多重
図７は、ＤＴＣＨ／ＤＣＣＨのＴｒＣＨ多重の例を示す。ＴｒＣＨ多重では１つまたは複数の個別トラフィックチャネルＤＴＣＨと個別制御チャネルＤＣＣＨを多重するが、多重方法には２種類ある。第１の多重方法は、ＴｒＣＨ毎にデータの位置を固定し、ＤＴＸ部があってもデータを詰めない個定位置方式（Ｆｉｘｅｄ  ｐｏｓｉｔｉｏｎ方式）であり、第２の多重方法は、ＴｒＣＨ毎のデータの位置を固定せず、データがある部分だけを詰める可変位置方式（Ｆｌｅｘｉｂｌｅ  ｐｏｓｉｔｉｏｎ方式）である。
図７は、個別トラフィックチャネルＤＴＣＨのＴｒＢＬＫ数がＴＴＩ（＝２０ｍｓ）毎に２→０→４と変化し、個別制御チャネルＤＣＣＨのＴｒＢＬＫ数がＴＴＩ（＝４０ｍｓ）毎に１→０と変化する場合において、それぞれの方式でどの様にＴｒＣＨ多重されるかを示している。固定位置方式と可変位置方式のどちらで多重されているかは、個別物理チャネルＤＰＣＨオープン時に上位より通知される。
・２ｎｄインターリーブ及び物理チャネルマッピング
図８は、ＤＴＣＨ／ＤＣＣＨの２ｎｄインターリーブ及び物理チャネルマッピングの説明図であり、（Ａ）の多重フレームは、図７の１ＴＴＩ＝２０ｍｓ、ＴｒＢＬＫ数＝２のＴｒＣＨ＃１のＤＴＣＨデータと１ＴＴＩ＝４０ｍｓ、ＴｒＢＬＫ数＝１のＴｒＣＨ＃２のＤＣＣＨデータをフレーム毎に分割して可変位置方式に基づいて多重したものである。基地局のチャネルコーデック部は、この多重フレームの１０８０ビット（ｂ０〜ｂ１０７９）を、（Ｂ）に示すように３０ビットづつ横方向にインタリーブ用のメモリに順次記憶し、記憶完了後、同一スロット番号（ｓｌｏｔ＃）が振られた２つの位置から３６ビットデータを縦方向に読み出して結合することにより２ｎｄインターリーブを行う。（Ｃ）にはスロット番号０の２つの位置（０Ａ，０Ｂ）からデータを読み出して結合してなるスロット番号Ｓｌｏｔ＃０のデータと、スロット番号１の２つの位置（１Ａ，１Ｂ）からデータを読み出して結合してなるスロット番号Ｓｌｏｔ＃１のデータを示す。以上により、ＴｒＣＨ多重されたデータは、フレーム単位でビットの順序の入れ換えが行われ、スロット単位に分割される。２ｎｄインターリーブによりＤＣＣＨのデータはスロット内の２箇所に配置される。
物理チャネルマッピングに際して、基地局のチャネルコーデック部は、（Ｄ）に示す下り個別物理チャネルＤＰＣＨのＤａｔａ１，Ｄａｔａ２部分に、（Ｃ）に示すスロット番号Ｓｌｏｔ＃０のＤＰＤＣＨデータをマッピングし（（Ｅ）参照）、以後同様にＳｌｏｔ＃１〜１５のＤＰＤＣＨデータを下り個別物理チャネルＤＰＣＨのＤａｔａ１，Ｄａｔａ２部分に順次マッピングして送出する。
・ＤＰＣＨとＳＣＨの位置関係
図９は個別物理チャネルＤＰＣＨと同期チャネルＳＣＨとの位置関係を示す。同期チャネルＳＣＨは（Ａ）に示すように毎スロットの先頭６６．７μｓｅｃに位置する。個別物理チャネルＤＰＣＨは、（Ｂ）に示すようにＤＴＣＨやＤＣＣＨがマッピングされるＤａｔａビット、上り送信電力制御のためのＴＰＣビット、ＤＴＣＨ／ＤＣＣＨのＴｒＢＬＫ数を示すＴＦＣＩビット、及び同期を取るためのＰｉｌｏｔビットから成り、Ｄａｔａビットは更に２つの部分Ｄａｔａ１，Ｄａｔａ２に分かれる。
個別物理チャネルＤＰＣＨのスロットフォーマット（各データのビット数）は通信内容によって異なり、ＤＰＣＨをオープンする時に上位より通知される。また、個別物理チャネルＤＰＣＨのスロットと同期チャネルＳＣＨのスロットには、（Ｃ）に示すようにオフセット（シンボルオフセット）が存在する場合があり、そのオフセット量τもＤＰＣＨオープン時に上位より通知される。
・ＴｒＢＬＫ数に応じたＤＴＣＨ／ＤＣＣＨの位置
図１０は、個別トラフィックチャネルＤＴＣＨのＴｒＢＬＫ数に応じたＤＴＣＨ／ＤＣＣＨの位置関係及び同期チャネルＳＣＨとの位置関係を示す説明図である。ＴｒＣＨ多重が可変位置方式の場合、スロット内のＤＣＣＨの位置は、図７に示すようにＤＴＣＨのＴｒＢＬＫ数により変化し、また、インタリーブにより２箇所に分離する。従って、▲１▼ＤＴＣＨのＴｒＢＬＫ数＝０の場合、スロット内のＤＣＣＨの位置は図１０の（Ａ）に示す位置に存在し、▲２▼ＤＴＣＨのＴｒＢＬＫ数＝２の場合、スロット内のＤＣＣＨの位置は図１０の（Ｂ）に示す位置に存在し、▲３▼ＤＴＣＨのＴｒＢＬＫ数＝４の場合、スロット内のＤＣＣＨの位置は図１０の（Ｃ）に示す位置に存在する。同期チャネルＳＣＨは（Ｄ）に示す位置に存在するから、ＴｒＣＨ多重が可変位置方式で行われ、かつ、個別物理チャネルＤＰＣＨのシンボルオフセットが０であれば、（Ａ）のＤＣＣＨと同期チャネルＳＣＨが重なり、個別制御チャネルＤＣＣＨは同期チャネルＳＣＨの干渉を受ける。又、個別物理チャネルＤＰＣＨのオフセット量τに応じて同期チャネルＳＣＨが（Ｂ），（Ｃ）に示すＤＣＣＨと重なる事態が発生する場合もある。
・ＴＦＣＩとＤＴＣＨ／ＤＣＣＨのＴｒＢＬＫ数の関係
図１１は、ＴＴＩ＝２０ｍｓのＴｒＣＨ＃１のＤＴＣＨブロック数が０，２，４、ＴＴＩ＝４０ｍｓのＴｒＣＨ＃２のＤＣＣＨブロック数が０，１の場合におけるＴＦＣＩとＤＴＣＨ／ＤＣＣＨのＴｒＢＬＫ数の関係を示すテーブルであり、以下のように作成される。すなわち、ＤＴＣＨ／ＤＣＣＨのＴＦＩの組み合わせ（ＤＴＣＨ／ＤＣＣＨのＴｒＢＬＫ数の組み合わせ）は、６通り可能である。それぞれについて所定の演算式を用いてＣＴＦＣ（Ｃａｌｃｕｌａｔｅｄ  Ｔｒａｎｓｐｏｒｔ  Ｆｏｒｍａｔ  Ｃｏｍｂｉｎａｔｉｏｎ）を計算し、ＣＴＦＣ−ＴＦＣＩ対応表より該ＣＴＦＣに応じたＴＦＣＩ（＝０〜５）を求めて上記テーブルを作成する。
図１２はＴＦＣＩの変化例を示す説明図であり、個別トラフィックチャネルＤＴＣＨのＴｒＢＬＫ数がＴＴＩ（＝２０ｍｓ）毎に２→０→４と変化し、個別制御チャネルＤＣＣＨのＴｒＢＬＫ数がＴＴＩ（＝４０ｍｓ）毎に１→０と変化する場合において、可変位置方式に従って多重した場合におけるＴＦＣＩの変化を示している。ＴＦＣＩデータは多重ＴｒＣＨのうち最小ＴＴＩ（この場合２０ｍｓ）毎に変化する。このＴＦＣＩはＤＰＣＨの所定位置にマッピングされているから、移動局ＭＳは受信情報よりＴＦＣＩを復調し、このＴＦＣＩと図１１の対応表（ＴＦＣＩテーブル）から各ＴｒＣＨのブロック数、すなわち、ＤＴＣＨ／ＤＣＣＨのＴｒＢＬＫ数を求めることができる。
（Ｄ）同期チャネルＳＣＨと個別制御チャネルＤＣＣＨの重なり要因
同期チャネルＳＣＨと個別制御チャネルＤＣＣＨが重なる要因としては、以下の４つが考えられる。
第１の要因は、図１０より明らかなように、個別物理チャネルＤＰＣＨの同期チャネルＳＣＨに対するシンボルオフセットであり、このオフセット量はＤＰＣＨオープン時に上位より通知される。
第２の要因は、下りＤＰＣＨのスロットフォーマットである。下りＤＰＣＨのスロットフォーマットは図２２に示すように１７種類存在し、各フォーマットにおけるＤａｔａ１，Ｄａｔａ２のビット長やＴＰＣ／ＴＦＣＩ／Ｐｉｌｏｔのビット長は異なる。このため、図８（Ｃ）におけるインタリーブ後のＤＣＣＨデータ位置が同じであっても、スロットフォーマットが替わるとＤａｔａ１，Ｄａｔａ２にマッピングされるＤＣＣＨデータのスロット内における位置が変化する。この位置変化に起因して、個別制御チャネルＤＣＣＨが同期チャネルＳＣＨと重なる事態が発生する。いずれのスロットフォーマットを使用するかは送信データ量に依存し、使用するスロットフォーマットはＤＰＣＨオープン時に上位より通知される。
第３の要因は、各ＴｒＣＨの送信フォーマットである。ＴＴＩ＝２０ｍｓのＴｒＣＨ＃１のＤＴＣＨブロック数が０，２，４、ＴＴＩ＝４０ｍｓのＴｒＣＨ＃２のＤＣＣＨブロック数が０、１であるものとし、ＴｒＣＨ＃１のＤＴＣＨブロック数が２０ｍｓ毎に０→２→４と変化し、ＴｒＣＨ＃２のＤＣＣＨブロック数が４０ｍｓ毎に１→１と変化するものとすると、可変位置方式により図１３（Ａ）に示すようにＴｒＣＨ多重される。
これに対し、ＴＴＩ＝２０ｍｓのＴｒＣＨ＃１のＤＴＣＨブロック数が０，２，４，８、ＴＴＩ＝４０ｍｓのＴｒＣＨ＃２のＤＣＣＨブロック数が０，１であるものとし、ＴｒＣＨ＃１のＴｒＢＬＫ数が２０ｍｓ毎に０→４→８と変化し、ＴｒＣＨ＃２のＴｒＢＬＫ数が４０ｍｓ毎に１→１と変化するものとすると、可変位置方式により図１３（Ｂ）に示すようにＴｒＣＨ多重される。
図１３（Ａ），図１３（Ｂ）において、ＤＴＣＨのＴｒＢＬＫ数が４、ＤＣＣＨのＴｒＢＬＫ数が１の場合について、図１３（Ａ），図１３（Ｂ）のＴｒＣＨ多重データ１００Ａ，１００Ｂを比較すると、ＤＣＣＨ位置が異なっていることが判る。これは、送信フォーマットＴＦの相違に起因するものである。送信フォーマットＴＦはＤＰＣＨオープン時に上位より通知される。
第４の要因は、図１０より明らかなように１フレーム当たりのＤＴＣＨブロック数である。１フレーム当たりのＤＴＣＨブロック数は、受信データに含まれるＴＦＣＩ及びＤＰＣＨオープン時に上位より通知されるＴＦＣＩテーブル（図１１参照）とＴＴＩから求まる。
（Ｅ）電力制御部の構成
図１４は本発明の閉ループ電力制御部及び開ループ電力制御部を備えた移動局ＭＳの構成図であり、図２と同一部分には同一符号を付している。
閉ループ制御部１０において、受信ＳＩＲ測定部１１は信号対干渉電力比ＳＩＲを測定し、比較部１２は目標ＳＩＲと受信ＳＩＲを比較し、比較結果をＴＰＣビット挿入部１３に入力する。ＴＰＣビット挿入部１３は受信ＳＩＲが目標ＳＩＲより大きければＴＰＣビット＝０を、受信ＳＩＲが目標ＳＩＲより小さければＴＰＣビット＝１をチャネルコーデック部４から入力する個別物理制御チャネルＤＰＣＣＨに挿入する。目標ＳＩＲは例えば、エラーレート１０−３（１０００回に１回の割合でエラー発生）を得るために必要なＳＩＲ値であり、チャネルコーデック部４より比較部１２に設定される。
変調部５は、チャネルコーデック部４から出力する個別物理データＤＰＤＣＨ（ＤＴＣＨ，ＤＣＣＨ）とＴＰＣビットが挿入された個別物理制御データＤＰＣＣＨに拡散変調を施し、拡散変調後、ＤＡ変換、直交変調し、無線部６で周波数変換、電力増幅などの処理を施してアンテナＡＮＴＴより基地局に向けて送信する。
開ループ制御部２０において、デコード処理部２１は、復調部（ＤＥＭ）８から出力する受信信号に誤り訂正復号処理および誤り検出処理を施し、誤り検出結果を受信ＢＬＥＲ測定部２２に入力し、また、デコードしたＴＦＣＩをＳＣＨ／ＤＣＣＨ重なり検出部２３に入力する。
受信ＢＬＥＲ測定部２２は、デコード処理部２１から入力する誤り検出結果に基づいて受信中の個別物理チャネルＤＰＣＨのブロックエラーレートＢＬＥＲ（受信ＢＬＥＲ）を測定し、該受信ＢＬＥＲを目標ＳＩＲ決定部２４に入力する。一方、ＳＣＨ／ＤＣＣＨ重なり検出部２３は、ＤＰＣＨオープン時に上位より通知されるスロットフォーマット、各ＴｒＣＨの送信フォーマットＴＦ、各ＴｒＣＨの送信時間間隔ＴＴＩ、ＴｒＣＨ多重方式並びにデコード処理部２１から入力するＴＦＣＩを用いて、同期チャネルＳＣＨと個別制御チャネルＤＣＣＨが重なるか監視し、監視結果を示す信号ＯＶＬを出力する。すなわち、ＳＣＨ／ＤＣＣＨ重なり検出部２３は、デコード処理部２１から入力するＴＦＣＩに対応するＣＴＦＣを、変換テーブルを用いて求め、該ＣＴＦＣより各ＴｒＣＨのＴＦＩを算出し、ついで、送信フォーマットより各ＴｒＣＨ毎に１ＴＴＩ毎のブロック数、ブロックビット長を求める。しかる後、スロットフォーマットを参照してスロット内のＤＣＣＨ位置を求め、ついで、シンボルオフセットを考慮して個別制御チャネルＤＣＣＨが同期チャネルＳＣＨとタイミング的に重なるかチェックする。
目標ＳＩＲ決定部２４は、同期チャネルＳＣＨと個別制御チャネルＤＣＣＨが重さなっていなければ、受信ＢＬＥＲと目標ＢＬＥＲとを比較し、受信ＢＬＥＲが目標ＢＬＥＲより良ければ、目標ＳＩＲのレベルを１ランク下げ、受信ＢＬＥＲが目標ＢＬＥＲより悪ければ、目標ＳＩＲのレベルを１ランク上げ、変更後の目標ＳＩＲを開ループ電力制御部１０に入力する。目標ＳＩＲ決定部２４は上記開ループ制御をフレーム毎に行う。
一方、同期チャネルＳＣＨと個別制御チャネルＤＣＣＨが重さなっていれば、目標ＳＩＲ決定部２４は、上記の開ループ電力制御処理を停止し、同期チャネルＳＣＨの干渉を受けても十分に個別制御チャネルＤＣＣＨを受信できるように、目標ＳＩＲを設定レベル分増大し、あるいは目標ＳＩＲを設定レベルになるよう変更し、該新しい目標ＳＩＲを閉ループ電力制御部１０に入力する。この結果、閉ループ電力制御処理において受信ＳＩＲが目標ＳＩＲより悪くなるため、移動局ＭＳは基地局ＢＴＳに対し送信電力を上げるよう通知することになり、基地局が送信電力を上げ、個別制御チャネルＤＣＣＨの受信品質が向上し、通信が切断されることがなくなる。
目標ＳＩＲ決定部２４は、通信中の全ＴｒＣＨにおける最小ＴＴＩの間、受信ＢＬＥＲに関係なく目標ＳＩＲを設定レベルに固定し、最小ＴＴＩ経過後は信号ＯＶＬをチェックし、ＳＣＨとＤＣＣＨが重なっていれば目標ＳＩＲを設定レベルに維持し、重なっていなければ、開ループ電力制御を再開する。
以上のように、個別制御チャネルＤＣＣＨと同期チャネルＳＣＨが重なる場合のみ目標ＳＩＲを上げるため、必要以上に受信品質が良くなることを抑えながら同期チャネルＳＣＨの干渉による個別制御チャネルＤＣＣＨの受信品質の劣化を抑えることができる。
（Ｆ）開ループ制御処理
（ａ）第１の開ループ制御
図１５は本発明の第１の開ループ制御処理フローである。
ＳＣＨ／ＤＣＣＨ重なり検出部２３は最小ＴＴＩ毎にデコード処理部２１よりＴＦＣＩを取得し（ステップ２０１）、このＴＦＣＩとＤＰＣＨオープン時に上位より通知されているスロットフォーマット、各ＴｒＣＨの送信フォーマットＴＦ、各ＴｒＣＨの送信時間間隔ＴＴＩ、ＴｒＣＨ多重方式などを用いて同期チャネルＳＣＨと個別制御チャネルＤＣＣＨがタイミング的に重なるかチェックする（ステップ２０２）。目標ＳＩＲ決定部２４は、同期チャネルＳＣＨと個別制御チャネルＤＣＣＨが重さなっていなければ、フレーム毎に、受信ＢＬＥＲと目標ＢＬＥＲとを比較し（ステップ２０３）、受信ＢＬＥＲが目標ＢＬＥＲより良ければ、目標ＳＩＲのレベルを１ランク下げ（ステップ２０４）、受信ＢＬＥＲが目標ＢＬＥＲより悪ければ、目標ＳＩＲのレベルを１ランク上げ（ステップ２０５）、変更後の目標ＳＩＲを閉ループ電力制御部１０に入力する。しかる後、最小ＴＴＩが経過したかチェックし（ステップ２０６）、最小ＴＴＩが経過するまでステップ２０３以降の処理を繰り返し、最小ＴＴＩが経過すればステップ２０１に戻る。
一方、ステップ２０２において、同期チャネルＳＣＨと個別制御チャネルＤＣＣＨが重さなれば、目標ＳＩＲ決定部２４は受信ＢＬＥＲに関係なく目標ＳＩＲを設定レベルまで増加、固定する（ステップ２０７）。しかる後、最小ＴＴＩが経過したかチェックし（ステップ２０８）、最小ＴＴＩが経過するまで目標ＳＩＲを設定レベルに固定し、最小ＴＴＩが経過すればステップ２０１に戻る。
（ａ）第２の開ループ制御
図１６は本発明の第２の開ループ制御処理フローである。
ＳＣＨ／ＤＣＣＨ重なり検出部２３は、ＤＰＣＨオープン時に上位から通知される情報（スロットフォーマット、シンボルオフセット量、ＤＴＣＨ／ＤＣＣＨそれぞれのＴＴＩ長、ＤＴＣＨ／ＤＣＣＨそれぞれの送信フォーマットＴＦ、ＴｒＣＨ多重方式）を用いて、個別制御チャネルＤＣＣＨと同期チャネルＳＣＨのタイミングが重なる場合のＴＦＣＩを予め求めて保存する（ステップ３０１）。
しかる後、ＳＣＨ／ＤＣＣＨ重なり検出部２３は、最小ＴＴＩ毎にＴＦＣＩデータをデコード処理部２１から取得し（ステップ３０２）、取得したＴＦＣＩがステップ３０１で求めておいたＤＣＣＨとＳＣＨのタイミングが重なる場合のＴＦＣＩかどうかを判定する（ステップ３０３）。重なるＴＦＣＩであれば、通常の開ループ電力制御処理を停止し、同期チャネルＳＣＨの干渉を受けても十分に個別制御チャネルＤＣＣＨを受信できる量だけ目標ＳＩＲを増加し、あるいは、目標ＳＩＲを設定レベルまで増加し、新目標ＳＩＲを閉ループ電力制御部１０に指示する（ステップ３０４）。以後、最小ＴＴＩの間は、受信ＢＬＥＲに関係なく目標ＳＩＲを固定し（ステップ３０５）、その後は、ステップ３０２以降の処理を繰り返す。
一方、ステップ３０３の判定の結果、個別制御チャネルＤＣＣＨと同期チャネルＳＣＨが重ならない時のＴＦＣＩであれば、フレーム毎に通常の開ループ電力制御処理を行い（ステップ３０６）、以後、ステップ３０２以降の処理を繰り返す。
図１７は、第２の開ループ制御処理説明図であり、図１２に従ってＴｒＣＨ＃１、ＴｒＣＨ＃２を多重した場合における目標ＳＩＲの変化する様子を示している。ただし、シンボルオフセット量は０としている。図の例ではＴＦＣＩ＝１の時にＤＣＣＨとＳＣＨが重なるから、その間、目標ＳＩＲを設定レベルまで増大する。
この第２の開ループ制御によれば、ＤＰＣＨオープン時にＤＣＣＨとＳＣＨがタイミング的に重なる場合のＴＦＣＩを求めておくため、最小ＴＴＩ毎に取得したＴＦＣＩと該重なる場合のＴＦＣＩを比較するだけの簡単な処理によりＳＣＨとＤＣＣＨとが重なるか否かを判定することができる。
（ｃ）第３の開ループ制御
図１８は本発明の第３の開ループ制御処理フローである。
ＳＣＨ／ＤＣＣＨ重なり検出部２３は、ＤＰＣＨオープン時に上位から通知される情報（スロットフォーマット、シンボルオフセット量、ＤＴＣＨ／ＤＣＣＨそれぞれのＴＴＩ長、ＤＴＣＨ／ＤＣＣＨそれぞれの送信フォーマットＴＦ、ＴｒＣＨ多重方式）を用いて、個別制御チャネルＤＣＣＨと同期チャネルＳＣＨのタイミングが重なる場合のＴＦＣＩを予め求めて保存する（ステップ４０１）。
しかる後、ＳＣＨ／ＤＣＣＨ重なり検出部２３は、最小ＴＴＩ毎にＴＦＣＩデータをデコード処理部２１から取得し（ステップ４０２）、取得したＴＦＣＩがステップ４０１で求めておいたＤＣＣＨとＳＣＨのタイミングが重なる場合のＴＦＣＩかどうかを判定する（ステップ４０３）。重なるＴＦＣＩであれば、通常の開ループ電力制御処理を停止し、受信ＢＬＥＲに関係なく一定量ΔＰだけ目標ＳＩＲを増加し、閉ループ電力制御部１０に指示し（ステップ４０４）、以後、ステップ４０２に戻る。次の最小ＴＴＩにおいても、ＴＦＣＩが重なるＴＦＣＩであれば、更に一定量ΔＰだけ目標ＳＩＲを増加し、閉ループ電力制御部１０に指示し、以後、ステップ４０２に戻る。これにより、目標ＳＩＲはステップ状に増加する。なお、ΔＰは通常の開ループ電力制御時における増減幅ΔＰ’より大きい。
一方、ステップ４０３の判定の結果、ＴＦＣＩが重ならない時のＴＦＣＩであれば、フレーム毎に通常の開ループ電力制御処理を行い（ステップ４０５）、以後、ステップ４０２以降の処理を繰り返す。
図１９は、第３の開ループ制御処理説明図であり、図１２に従ってＴｒＣＨ＃１、ＴｒＣＨ＃２を多重した場合における目標ＳＩＲの変化する様子を示している。ただし、シンボルオフセット量は０としている。図１９の例ではＴＦＣＩ＝１の時にＤＣＣＨとＳＣＨが重なるから、目標ＳＩＲはステップ状に一定量ΔＰづつ増加する。
この第３の開ループ制御によれば、第２の開ループ制御のように、一気に目標ＳＩＲを大きくせず、ステップ状に増加するため、必要以上に受信品質が良くなることを抑えながらＤＣＣＨの受信品質の劣化を抑えることができる。
以上の説明では目標品質としてＳＩＲを用いた場合について説明したが、本発明はＳＩＲに限定しない。
以上説明したように、本発明を実施することにより、ＤＣＣＨとＳＣＨの位置が重なった場合でも充分なＤＣＣＨの受信品質を得ることが可能であり、実用上大きな効果がある。
【図１】
2004002018.tif 000003
【図２】
2004002018.tif 000004
【図３】
2004002018.tif 000005
【図４】
2004002018.tif 000006
【図５】
2004002018.tif 000007
【図６】
2004002018.tif 000008
【図７】
2004002018.tif 000009
【図８】
2004002018.tif 000010
【図９】
2004002018.tif 000011
【図１０】
2004002018.tif 000012
【図１１】
2004002018.tif 000013
【図１２】
2004002018.tif 000014
【図１３】
2004002018.tif 000015
【図１４】
2004002018.tif 000016
【図１５】
2004002018.tif 000017
【図１６】
2004002018.tif 000018
【図１７】
2004002018.tif 000019
【図１８】
2004002018.tif 000020
【図１９】
2004002018.tif 000021
【図２０】
2004002018.tif 000022
【図２１】
2004002018.tif 000023
【図２２】
2004002018.tif 000024
【図２３】
2004002018.tif 000025
【図２４】
2004002018.tif 000026
【図２５】
2004002018.tif 000027
【図２６】
2004002018.tif 000028
【図２７】
2004002018.tif 000029
【図２８】
2004002018.tif 000030
【国際調査報告】
2004002018.tif 000031
2004002018.tif 000032
2004002018.tif 000033